(57)【要約】   【課題】  様々な形状の癖付けを安価に行うことができるヘアーアイロンを提供すること。    【解決手段】  先端部１２ｂ、１３ｂが近接離隔するように回動自在に連結された一対の取手部材１２、１３と、取手部材１２、１３の先端部１２ｂ、１３ｂに内蔵された加熱部材２３、２４と、取手部材１２、１３の対向面に取付けられ、加熱部材２３、２４によって加熱される一対の毛髪処理部材１７、１８とを備え、取手部材１２、１３の先端部を近接させ、加熱部材２３、２４によって加熱された毛髪処理部材１７、１８によって毛髪を加熱することにより、毛髪を癖付けするヘアーアイロン１１において、取手部材１２、１３の先端部１２ｂ、１３ｂに設けられた固定プレート１５、１６に毛髪処理部材１７、１８を着脱する嵌合突起１５ａ、１６ａを設けるとともに、毛髪処理部材１７、１８に、嵌合突起１５ａ、１６ａに着脱される嵌合爪１７ｂ、１８ｂを設ける。【選択図】  図３
2006346071.tif 000002
【特許請求の範囲】
【請求項１】
先端部が近接離隔するように所定箇所が回動自在に連結された一対の取手部材と、前記取手部材の先端部に内蔵された加熱部と、前記取手部材の対向面に取付けられ、前記加熱部によって加熱される一対の毛髪処理部材とを備え、
前記取手部材の先端部を近接させ、前記加熱部によって加熱された前記毛髪処理部材で毛髪を挟持して毛髪を加熱することにより、毛髪を癖付けするヘアーアイロンにおいて、
前記取手部材の先端部に前記毛髪処理部材を着脱する第１着脱部を設けるとともに、前記毛髪処理部材に、前記第１着脱部に着脱される第２着脱部を設けたことを特徴とするヘアーアイロン。
【請求項２】
前記取手部材の少なくとも一方にマイナスイオン発生手段を設け、前記取手部材の先端部および前記毛髪処置部材に前記マイナスイオン発生手段によって生成されたマイナスイオンを放出する放出口を設けたことを特徴とする請求項１に記載のヘアーアイロン。
【請求項３】
前記取手部材の少なくとも一方にオゾン発生手段を設け、前記取手部材の先端部および前記毛髪処置部材に前記オゾン発生手段によって生成されたオゾンを放出する放出口を設けたことを特徴とする請求項１に記載のヘアーアイロン。
【請求項４】
前記取手部材の少なくとも一方に水蒸気発生手段を設け、前記取手部材の先端部および前記毛髪処置部材に前記水蒸気発生手段によって生成された水蒸気を放出する放出口を設けたことを特徴とする請求項１に記載のヘアーアイロン。
【請求項５】
前記一対の毛髪処理部材は、毛髪を挟持する毛髪処理面を有し、前記毛髪処理面は、互いに嵌合可能な波形状に形成されることを特徴とする請求項１〜請求項４の何れか１項に記載のヘアーアイロン。
【請求項６】
前記一対の毛髪処理部材は、毛髪を挟持する毛髪処理面を有し、前記毛髪処理面は、互いに嵌合可能な図形形状に形成されることを特徴とする請求項１〜請求項４の何れか１項に記載のヘアーアイロン。
【発明の詳細な説明】
【技術分野】
【０００１】
本発明は、毛髪を挟持して加熱することによって毛髪に癖付けを行うヘアーアイロンに関する。
【背景技術】
【０００２】
従来のこの種のヘアーアイロンとしては、例えば、図１８に示すようなものが知られている（例えば、特許文献１参照）。図１８において、取手部材１、２は基端部１ａ、２ａが回動自在に連結されており、先端部１ｂ、２ｂが近接離隔するようになっている。取手部材１、２の先端部１ｂ、２ｂの対向面には毛髪処理部材３が設けられており（上側の取手部材１に設けられた毛髪処理部材は図示略）、毛髪処理部材３にはハート型の図形４が設けられている。
【０００３】
また、取手部材１、２の先端部１ｂ、２ｂにはヒータが内蔵されており、毛髪処理部材３等はヒータによって加熱される。
【０００４】
このような構成を有するヘアーアイロンにあっては、取手部材１、２を把持して先端部を近接することにより、ヒータで加熱された毛髪処理部材３等によって毛髪を挟持することにより、毛髪にハート型の癖付けを行うことができる。
【特許文献１】特開２００１−２６９２１３号公報
【発明の開示】
【発明が解決しようとする課題】
【０００５】
しかしながら、このような従来のヘアーアイロンにあっては、毛髪処理部材３等が取手部材１、２の先端部１ｂ、２ｂに固定された構造になっているため、ハート型の毛髪処理部材３等の場合には、ハート型の癖付けしかを行うことができない。
【０００６】
したがって、異なる形状の癖付けを行う場合には、他の形状を備えた毛髪処理部材を新規購入しなければならず、購買価格が高くなってしまい、消費者の負担が増大してしまう。
【０００７】
本発明は、これらの課題を解決するためになされたもので、様々な形状の癖付けを安価に行うことができるヘアーアイロンを提供するものである。
【課題を解決するための手段】
【０００８】
本発明のヘアーアイロンは、先端部が近接離隔するように所定箇所が回動自在に連結された一対の取手部材と、前記取手部材の先端部に内蔵された加熱部と、前記取手部材の対向面に取付けられ、前記加熱部によって加熱される一対の毛髪処理部材とを備え、前記取手部材の先端部を近接させ、前記加熱部によって加熱された前記毛髪処理部材で毛髪を挟持して毛髪を加熱することにより、毛髪を癖付けするヘアーアイロンにおいて、前記取手部材の先端部に前記毛髪処理部材を着脱する第１着脱部を設けるとともに、前記毛髪処理部材に、前記第１着脱部に着脱される第２着脱部を設けたものから構成される。
【０００９】
この構成により、取手部材の先端部に毛髪処理部材を着脱する第１着脱部を設けるとともに、前記毛髪処理部材に、第１着脱部に着脱される第２着脱部を設けたので、異なる癖付けを行うことができる様々な形状の毛髪処理部材を用意し、癖付けの形状に応じた毛髪処理部材を取手部材の先端部に装着することにより、この毛髪処理部材の形状に応じた癖付けを行うことができる、
【００１０】
したがって、１種類のヘアーアイロンを購入した後には、毛髪処理部材を順次購入するだけで様々な形状の癖付けを行うことができ、ヘアーアイロンの購入価格を安価にすることができる。
【００１１】
また、本発明のヘアーアイロンは、前記取手部材の少なくとも一方にマイナスイオン発生手段を設け、前記取手部材の先端部および前記毛髪処置部材に前記マイナスイオン発生手段によって生成されたマイナスイオンを放出する放出口を設けたものから構成される。
【００１２】
この構成により、毛髪の癖付けを行っている最中に放出口から放出されたマイナスイオンが血液中のカルシウムイオンを増加させて血液のＰＨ値を正常化させ、血液の酸化を防止して血行を良くするとともに、髪の枝毛、切れ毛、くせ毛、白髪予防と髪のストレス解消を図ることができる。
【００１３】
また、本発明のヘアーアイロンは、前記取手部材の少なくとも一方にオゾン発生手段を設け、前記取手部材の先端部および前記毛髪処置部材に前記オゾン発生手段によって生成されたオゾンを放出する放出口を設けたものから構成される。
この構成により、毛髪の癖付けを行っている最中に放出口から放出されたオゾンの殺菌力により毛髪の雑菌を除去して、毛髪の悪臭を抑制することができる。
【００１４】
また、本発明のヘアーアイロンは、前記取手部材の少なくとも一方に水蒸気発生手段を設け、前記取手部材の先端部および前記毛髪処置部材に前記水蒸気発生手段によって生成された水蒸気を放出する放出口を設けたものから構成される。
この構成により、毛髪の癖付けを行っている最中に放出口から放出された水蒸気によって毛髪を適度に湿らせることができ、毛髪の癖付けを容易に行うことができる。
【００１５】
また、本発明のヘアーアイロンは、前記一対の毛髪処理部材は、毛髪を挟持する毛髪処理面を有し、前記毛髪処理面は、互いに嵌合可能な波形状に形成されるものから構成される。
この構成により、波形状の毛髪処理部材によって毛髪を挟持して加熱することにより、毛髪に波形状の癖付けを行うことができる。
【００１６】
また、本発明のヘアーアイロンは、前記一対の毛髪処理部材は、毛髪を挟持する毛髪処理面を有し、前記毛髪処理面は、互いに嵌合可能な図形形状に形成されるものから構成される。
【００１７】
この構成により、図形形状の毛髪処理部材によって毛髪を挟持して加熱することにより、毛髪に図形形状の癖付けを行うことができる。この図形形状とは、ハート型や星型の図形、キャラクタの図形、名前や「好き」というようなメッセージの図形等のことである。
【発明の効果】
【００１８】
本発明のヘアーアイロンによれば、様々な形状の癖付けを安価に行うことができるヘアーアイロンを提供することができる。
【発明を実施するための最良の形態】
【００１９】
以下、本発明の好適な実施の形態について、図面を用いて説明する。
図１〜図１２は、本発明に係るヘアーアイロンの第１の実施の形態を示す図である。
まず、構成を説明する。図１、図２において、ヘアーアイロン１１は取手部材１２、１３を備えており、この取手部材１２、１３の所定箇所としての基端部１２ａ、１３ａはピポット１４によって先端部１２ｂ、１３ｂが近接離隔するように回動自在に連結されている。ピポット１４内には図示しないばねが設けられており、取手部材１２、１３はばねによって離隔する方向に付勢されている。
【００２０】
取手部材１２、１３の先端部１２ｂ、１３ｂには固定プレート１５、１６が対向して設けられており、この固定プレート１５、１６には図３、図４に示すような毛髪処理部材１７、１８が着脱自在になっている。
【００２１】
この毛髪処理部材１７、１８は毛髪処理面１７ａ、１８ａが波形状をしており、毛髪処理面１７ａ、１８ａの裏面には第１着脱部としての一対の嵌合爪１７ｂ、１８ｂが幅方向に離隔して設けられ、この嵌合爪１７ｂ、１８ｂは毛髪処理部材１７、１８の長手方向に沿って延在している。
【００２２】
また、図２、図７に示すように固定プレート１５、１６には第２着脱部としての嵌合突起１５ａ、１６ａが設けられており、この嵌合突起１５ａ、１６ａは固定プレート１５、１６の長手方向に沿って延在している。
【００２３】
毛髪処理部材１７、１８の嵌合爪１７ｂ、１８ｂは嵌合突起１５ａ、１６ａを挟持して嵌合突起１５ａ、１６ａに対して先端部１２ｂ、１３ｂから基端部１２ａ、１３ａに向かってスライドすることにより嵌合突起１５ａ、１６ａに嵌合するようになっており（図５、図６、図７（ｂ）参照）、この状態から基端部１２ａ、１３ａに先端部１２ｂ、１３ｂに向かってスライドすることにより、嵌合突起１５ａ、１６ａに取り外されるようになっている、すなわち、毛髪処理部材１７、１８と固定プレート１５、１６は着脱自在になっている。
【００２４】
また、固定プレート１５および毛髪処理部材１７にはそれぞれ３つの放出口１９、２０が設けられており、毛髪処理部材１７、１８が固定プレート１５、１６に取付けられたときにそれぞれの放出口１９、２０が連通する。
【００２５】
また、取手部材１２、１３の先端部１２ｂ、１３ｂにはストッパー部１２ｃ、１３ｃが設けられており、このストッパー部１２ｃ、１３ｃには毛髪処理部材１７、１８の端部に設けられた被覆部材２１、２２が嵌合するようになっている。
【００２６】
被覆部材２１、２２の内周部には図４に示すように嵌合部２１ａ、２２ａが形成されており、この嵌合部２１ａ、２２ａはストッパー部１２ｃ、１３ｃと同形状に形成されている。
【００２７】
このため、毛髪処理部材１７、１８が固定プレート１５、１６に取付けられるときに、被覆部材２１、２２に形成された嵌合部２１ａ、２２ａ（図４参照）がストッパー部１２ｃ、１３ｃに嵌合することにより、放出口１９、２０が連通する位置で毛髪処理部材１７、１８が固定プレート１５、１６に取付けられるように位置決めされるとともに、毛髪処理部材１７、１８が固定プレート１５、１６から抜け出ないように強固に装着される。
【００２８】
図８はヘアーアイロン１１の内部を示す縦断面図である。図８において、固定プレート１５、１６の背面側の取手部材１２、１３の内部には、加熱部を構成する加熱部材２３、２４が設けられており、この加熱部材２３、２４は配線２６、２７を介して制御回路２５に接続されている。
【００２９】
この制御回路２５は取手部材１２に装着された電源コード２８から電源が供給されるようになっており、加熱部材２３、２４を加熱するようになっている。また、加熱部材２３には３つの放出口２９が設けられており、この放出口２９は固定プレート１５、１６に毛髪処理部材１７、１８が取付けられたときに放出口１９、２０に連通するようになっている。
【００３０】
また、加熱部材２３の背面側にはマイナスイオン発生手段としてのマイナスイオン発生回路３０が設けられており、このマイナスイオン発生回路３０は、図９に示すように、配線３５を介してコンピュータからなる制御装置２５から電力供給を受けて所定の周波数の交流電流を発生させる発振回路３１と、交流電流の電圧を高めるトランス３２と、トランス３２に接続された放電電極であるイオン化針３３と、アースされた接地電極３４とを備えており、イオン化針３３と接地電極３４との間にコロナ放電を発生させることで空気をイオン化してマイナスイオンを発生させる。
【００３１】
イオン化針３３と接地電極３４は加熱部材２３の近傍に設けられており、イオン化針３３と接地電極３４との間にコロナ放電を発生させることで発生したマイナスイオンは、放出口２９、２０、１９を通して外部に放出される。
【００３２】
また、取手部材１２にはオン／オフ用のスイッチ３６が設けられており、制御回路２５は、スイッチ３６がオンされると、加熱部材２３、２４を加熱するとともにマイナスイオン発生回路３０を作動し、スイッチ３６がオフされると、加熱部材２３、２４を加熱の加熱を停止するとともにマイナスイオン発生回路３０の作動を停止する。
【００３３】
次に、作用を説明する。
毛髪の癖付けを行う際には、まず、毛髪処理部材１７、１８の嵌合爪１７ｂ、１８ｂを固定プレート１５、１６の嵌合突起１５ａ、１６ａに挿通し、毛髪処理部材１７、１８を嵌合突起１５ａ、１６ａに対して先端部１２ｂ、１３ｂから基端部１２ａ、１３ａに向かってスライドすることにより嵌合突起１５ａ、１６ａに嵌合することにより、毛髪処理部材１７、１８を固定プレート１５、１６に装着する。
次いで、スイッチ３６をオンにして加熱部材２３、２４を加熱して固定プレート１５、１６を介して毛髪処理部材１７、１８を加熱するとともに、マイナスイオン発生回路３０を作動させてマイナスイオンを発生させる。
【００３４】
使用者は、取手部材１２、１３の基端部１２ａ、１３ａに設けられた把持部分３７を把持し、図１０（ａ）に示すように、先端部１２ａ、１３ａを近接させることにより、毛髪Ｈを毛髪処理部材１７、１８によって把持して加熱する。このとき、マイナスイオンは、放出口２９、２０、１９を通してマイナスイオンが毛髪Ｈに供給される。
【００３５】
一定時間だけ毛髪Ｈを加熱することにより、図１０（ｂ）に示すように、毛髪Ｈに毛髪処置部材１７、１８の毛髪処理面１７ａ、１８ａに対応した波形状の癖付けＣが行われる。
【００３６】
一方、本実施の形態では、図１１に示すように、他の形状の毛髪処理部材４１を備えており、この毛髪処理部材４１は毛髪処理面４１ａが毛髪処理部材１７、１８の波形状よりも細かい凹凸の波形状をしており、毛髪処理面４１ａの裏面には、毛髪処理部材１７、１８と同様に第１着脱部としての一対の嵌合爪が幅方向に離隔して設けられ、この嵌合爪は毛髪処理部材４１の長手方向に沿って延在している。
【００３７】
また、毛髪処理面４１ａにはマイナスイオンを放出する放出口４２が設けられている。なお、もう一方の毛髪処理部材は放出口がないだけで毛髪処理部材４１と同様の構成であるため、図示省略する。
また、図１２に示すように、本実施の形態では、他の形状の毛髪処理部材４３、４４を備えており、この毛髪処理部材４３の毛髪処理面４３ａには図形形状としてハート型の突部４３ｂが設けられているとともに、毛髪処理部材４４の毛髪処理面４４ａには突部４３ｂに嵌合するハート型の嵌合突部４４ｂが形成されている。
【００３８】
また、毛髪処理面４３ａ、４４ａの裏面には、毛髪処理部材１７、１８と同様に第１着脱部としての一対の嵌合爪が幅方向に離隔して設けられ、この嵌合爪は毛髪処理部材４３、４４の長手方向に沿って延在している。また、毛髪処理面４４ａにはマイナスイオンを放出する放出口４５が設けられている。
【００３９】
本実施の形態では、癖付けの好みに応じて毛髪処理部材１７、１８、４１、４３、４４を選択して固定プレート１５、１６に装着して上述した加熱、マイナスイオンの放出を行い、毛髪Ｈを癖付けする。
【００４０】
このように本実施の形態では、異なる形状の毛髪処理部材１７、１８、４１、４３、４４を設け、取手部材１２、１３の先端部１２ｂ、１３ｂに毛髪処理部材１７、１８、４１、４３、４４を着脱自在にし、この毛髪処理部材１７、１８、４１、４３、４４の形状に応じた癖付けを行うことができる、
【００４１】
したがって、１種類のヘアーアイロン１１を購入した後には、毛髪処理部材を順次購入するだけで様々な形状の癖付けを行うことができ、ヘアーアイロン１１の購入価格を安価にすることができる。
【００４２】
また、本実施の形態では、取手部材１２にマイナスイオン発生回路３０を設け、取手部材１２の先端部１２ｂ、固定プレート１５および毛髪処置部材１７、４１、４４にマイナスイオン発生回路３０によって生成されたマイナスイオンを放出する放出口１９、２０、２９、４２、４５を設けたので、毛髪の癖付けを行っている最中に放出口１９、２０、２９、４２、４５から放出されたマイナスイオンが血液中のカルシウムイオンを増加させて血液のＰＨ値を正常化させ、血液の酸化を防止して血行を良くするとともに、髪の枝毛、切れ毛、くせ毛、白髪予防と髪のストレス解消を図ることができる。
【００４３】
また、本実施の形態では、波形状の毛髪処理面１７ａ、１８ａを備えた毛髪処理部材１７、１８と、毛髪処理面１７ａ、１８ａの波形状よりも細かい凹凸の波形状の毛髪処理面４１ａを備えた毛髪処理部材４１と、ハート型の突部４３ｂおよび嵌合突部４４ｂが形成された毛髪処理面４３ａ、４４ａを備えた毛髪処理部材４３、４４を備えているので、毛髪に様々な種類の癖付けを行うことができる。
【００４４】
なお、本実施の形態では、図形形状としてハート型を例にしているが、これに限らず、星型の図形、キャラクタの図形、名前や「好き」というようなメッセージの図形等のように図形形状であれば何でも良い。
【００４５】
また、マイナスイオン発生回路３０を取手部材１２側のみに設けているが、取手部材１３の加熱部材２４の背面に追加しても良い。この場合には、固定プレート１６、毛髪処理部材１８および加熱部材２４にも放出口を設ける必要がある。
【００４６】
図１３は、本発明に係るヘアーアイロンの第２の実施の形態を示す図であり、本実施の形態では、マイナスイオン発生回路に代えてオゾン発生回路を設けたものであり、第１の実施の形態の図面を援用して説明を省略する。
【００４７】
図１３において、オゾン発生手段としてのオゾン発生回路６１は、加熱部材２３の裏面に設けられており、このオゾン発生回路６１は制御回路２５によって制御されるようになっている。
【００４８】
オゾン発生回路６１は、上部電極６２および下部電極６３が相対する平板型構造を有し、これらの両電極６２、６３は上部絶縁体６４および下部絶縁体６５によって絶縁されている。
【００４９】
下部電極６３は接地されており、上部電極６２には高周波インバータ６６から高電圧トランス６７を介して電圧が供給されるようになっている。このような構成により、上部電極６２に電圧が印加されると、上部電極６２と下部電極６３の間の隙間によって画成された放電空間にプラズマ放電により誘導される無音放電が発生し、放電空間の中の酸素がオゾンに変換され、このオゾンが下部電極６３に形成された放出口６３ａから放出される。なお、上部電極６２と下部電極６３の間に酸素を強制的に供給するようにしても良い。
【００５０】
本実施の形態では、髪の癖付けをしている間にオゾン発生回路６１によって生成されたオゾンを毛髪に供給することにより、オゾンの殺菌力により毛髪の雑菌を除去して、毛髪の悪臭を抑制することができる。
【００５１】
なお、上記各実施の形態では、マイナスイオン発生回路３０やオゾン発生回路６１を設けた例を示しているが、これらの回路に代えて水蒸気発生手段を設けても良い。水蒸気発生手段の構成としては、水を収納するタンク、水を加熱する加熱ヒータ、水を加熱ヒータに供給するための配管、配管をオン／オフして水源と加熱ヒータを断続するバルブ等を取手部材１２、１３の少なくとも一方に設け、制御回路２５によって加熱ヒータやバルブを制御すれば良い。
【００５２】
また、タンクを外付けにして外部から加熱ヒータに水を供給すれば、取手部材１２、１３を小型化して大量の水蒸気を発生させることができる。このようにすれば、毛髪の癖付けを行っている最中に放出口から放出された水蒸気によって毛髪を適度に湿らせることができ、毛髪の癖付けを容易に行うことができる。
【００５３】
図１４〜図１６は、本発明に係るヘアーアイロンの第３の実施の形態を示す図であり、第１の実施の形態と同様の構成には同一番号を付して説明を省略する。
図１４において、取手部材１２、１３には第１の実施の形態の固定プレートに代えて揺動プレート７１、７２が設けられており、この揺動プレート７１、７２の一端部には揺動ピン７３、７４に揺動自在に接続されている。
【００５４】
また、取手部材１２、１３の先端部にはＬ次形状の板ばね７５、７６が設けられており、この板ばね７５、７６は揺動プレート７１、７２の他端部に当接して揺動プレート７１、７２を取手部材１２、１３に押し付けている。
【００５５】
また、板ばね７５、７６を指で摘んで実線で示す位置から破線で示す位置に移動させると、揺動プレート７１、７２が揺動可能になる。そして、板ばね７５、７６から指を離すと、板ばね７５、７６自身のばね力により実線で示す位置に復帰する。
【００５６】
また、図１５に示すように毛髪処理部材１７、１８に空間部７７、７８が形成されており、この空間部７７、７８は毛髪処理部材１７、１８の長手方向に沿って延在している。また、毛髪処理部材１７、１８の裏面は磁石から構成されている。
【００５７】
本実施の形態では、板ばね７５、７６を指で摘んで実線で示す位置から破線で示す位置に移動させた後、揺動プレート７１、７２を実線で示す位置から破線で示す位置に揺動させる。
【００５８】
この状態で毛髪処理部材１７、１８の空間部７７、７８に揺動プレート７１、７２を挿通し、毛髪処理部材１７、１８の端部が揺動プレート７１、７２に沿って揺動ピン７３、７４に当接する位置まで移動したときに、毛髪処理部材１７、１８を取手部材１２、１３に吸着する。
【００５９】
この後、第１の実施の形態と同様にして毛髪の癖付けを行う。そして、毛髪の癖付けが終了すると、毛髪処理部材１７、１８を取手部材１２、１３から引き離した後、揺動プレート７１、７２から取り外す。次いで、板ばね７５、７６を指で摘んで実線で示す位置から破線で示す位置に移動させ、揺動プレート７１、７２を実線で示す位置まで移動させた状態にして板ばね７５、７６から指を離すと、板ばね７５、７６自身のばね力により実線で示す位置に復帰して、揺動プレート７１、７２の他端部を取手部材１２、１３に押し付けて取手部材１２、１３に固定する。
【００６０】
本実施の形態では、取手部材１２、１３に揺動プレート７１、７２を揺動自在に設け、裏面に磁石を備えた毛髪処理部材１７、１８をこの揺動プレート７１、７２に着脱自在にしたので、毛髪処理部材１７、１８を取手部材１２、１３に小さい力で着脱することができる。
【００６１】
図１７は、本発明に係るヘアーアイロンの第４の実施の形態を示す図である。
図１７において、ヘアーアイロン８１は、ピポット８２を介して近連結された一対の取手部材８３、８４を備えており、取手部材８３、８４の先端部８３ａ、８４ａには毛髪処理部材８５、８６が着脱自在に設けられる。この着脱機構としては、第１の実施の形態の固定プレートや第３の実施の形態の揺動プレートのような構成を採用している。
【００６２】
また、取手部材８３、８４には第１の実施の形態と同様に加熱部材、マイナスイオン発生回路および制御回路が内蔵されているとともに、毛髪処理部材８５や加熱部材にはマイナスイオンを外部に放出するための放出口が形成されている。
【００６３】
本実施の形態のヘアーアイロン８１では、取手部材８３、８４の他端部８３ｂ、８４ｂを把持して近接させると、毛髪処理部材８５、８６が近接して毛髪を挟持することができるので、第１の実施の形態と同様の処理によって毛髪を加熱しながらマイナスイオンを供給して癖付けを行うことができる。
【００６４】
また、本実施の形態ではヘアーアイロン８１をハサミ形状にして取手部材８３、８４の他端部８３ｂ、８４ｂを把持することができるようにしたので、毛髪の癖付けを容易に行うことができる。
【産業上の利用可能性】
【００６５】
以上のように、本発明に係るヘアーアイロンは、様々な形状の癖付けを安価に行うことができるという効果を有し、毛髪を挟持して加熱することによって毛髪に癖付けを行うヘアーアイロン等として有用である。
【図面の簡単な説明】
【００６６】
【図１】本発明の第１の実施の形態に係るヘアーアイロンの側面図
【図２】第１の実施形態に係る毛髪処理部材を装着していない状態のヘアーアイロンの斜視図
【図３】第１の実施形態に係る毛髪処理部材の斜視図
【図４】（ａ）（ｂ）は第１の実施の形態に係る毛髪処理部材の正面図、（ｂ）は図３のＡ−Ａ矢視断面図
【図５】第１の実施形態に係る毛髪処理部材を装着した状態のヘアーアイロンの側面図
【図６】第１の実施形態に係る毛髪処理部材を装着した状態のヘアーアイロンの斜視図
【図７】（ａ）は第１の実施形態に係る毛髪処理部材を装着していない状態のヘアーアイロンの正面図、（ｂ）は毛髪処理部材を装着した状態のヘアーアイロンの正面図
【図８】第１の実施形態に係るヘアーアイロンの断面図
【図９】第１の実施の形態に係るマイナスイオン発生回路の構成図
【図１０】（ａ）は第１の実施形態に係るヘアーアイロンを使用している状態を示す図、（ｂ）は癖付けされた状態を示す図
【図１１】他の形状の毛髪処理部材の斜視図
【図１２】（ａ）は他の形状の毛髪処理部材の斜視図、同図（ａ）の毛髪処理部材を当接させた状態を示すよう毛髪処理部材の要部側面図
【図１３】第２の実施形態に係るオゾン発生回路の構成図
【図１４】本発明の第３の実施形態に係るヘアーアイロンの側面図
【図１５】第３の実施形態に係る毛髪処理部材の斜視図
【図１６】第３の実施形態に係る毛髪処理部材を装着した状態のヘアーアイロンの側面図
【図１７】第３の実施形態に係るヘアーアイロンの側面図
【図１８】従来のヘアーアイロンの斜視図
【符号の説明】
【００６７】
１１、８１  ヘアーアイロン
１２、１３、８３、８４  取手部材
１５ａ、１６ａ  嵌合突起（第２着脱部）
１７、１８、４１、４３、４４、８５、８６  毛髪処理部材
１７ａ、１８ａ、４３ａ、４４ａ  毛髪処理面
１７ｂ、１８ｂ  嵌合爪（第１着脱部）
１９、２０、２９、４２、４５  放出口
２３、２４  加熱部材（加熱部）
３０  マイナスイオン発生回路（マイナスイオン発生手段）
６１  オゾン発生回路（オゾン発生手段）
【図１】
2006346071.tif 000003
【図２】
2006346071.tif 000004
【図３】
2006346071.tif 000005
【図４】
2006346071.tif 000006
【図５】
2006346071.tif 000007
【図６】
2006346071.tif 000008
【図７】
2006346071.tif 000009
【図８】
2006346071.tif 000010
【図９】
2006346071.tif 000011
【図１０】
2006346071.tif 000012
【図１１】
2006346071.tif 000013
【図１２】
2006346071.tif 000014
【図１３】
2006346071.tif 000015
【図１４】
2006346071.tif 000016
【図１５】
2006346071.tif 000017
【図１６】
2006346071.tif 000018
【図１７】
2006346071.tif 000019
【図１８】
2006346071.tif 000020